(57)【特許請求の範囲】
【請求項１】
複数のフィラメント受容チャネルを含むフィラメント・コイル受容部分およびフィラメント・リード用延長部分を有する陰極カップ、並びにフィラメント位置合わせ用開口を設けたプレートを有する焦点合わせ用タブであって、当該焦点合わせ用タブが少なくとも部分的に前記フィラメント受容チャネルを覆うように前記陰極カップと協働する焦点合わせ用タブ
を含んでいることを特徴とするＸ線管用の陰極カップ・アセンブリ。
【請求項２】
前記陰極カップの前記フィラメント・コイル受容部分が更に第１および第２のフランジを含み、前記第１および第２のフランジは第１および第２のスロットをそれぞれ含み、前記第１および第２のスロットの各々は前記フィラメント受容チャネルに平行に延在し、前記フィラメント受容チャネルが前記第１および第２のフランジの間に位置しており、前記焦点合わせ用タブが前記第１および第２のスロット内に配置されるように構成されている請求項１記載の陰極カップ・アセンブリ。
【請求項３】
更に、前記フィラメント受容チャネルの１つと連通する第１および第２のフィラメント・リード用開口が、該フィラメント受容チャネルから前記フィラメント・リード用延長部分を貫通して延在している請求項１記載の陰極カップ・アセンブリ。
【請求項４】
前記焦点合わせ用タブは、前記フィラメント位置合わせ用開口の周縁が前記フィラメント・リード用開口に隣接するように配置されている請求項３記載の陰極カップ・アセンブリ。
【請求項５】
更に、前記アセンブリがフィラメントを有し、該フィラメントは、第１のフィラメント・リード、第２のフィラメント・リード、および前記第１のフィラメント・リードと前記第２のフィラメント・リードとの間に延在するフィラメント・コイルを有し、前記第１のフィラメント・リードが前記第１のフィラメント・リード用開口を通って延在し、前記第２のフィラメント・リードが前記第２のフィラメント・リード用開口を通って延在している請求項３記載の陰極カップ・アセンブリ。
【請求項６】
前記陰極カップの前記フィラメント・コイル受容部分が更に第１および第２のフランジを含み、前記第１および第２のフランジは第１および第２のスロットをそれぞれ含み、前記第１および第２のスロットの各々は前記フィラメント受容チャネルに平行に延在し、前記フィラメント受容チャネルが前記第１および第２のフランジの間に位置しており、前記焦点合わせ用タブは、前記フィラメント位置合わせ用開口の周縁が前記第１および第２のフィラメント・リード用開口に隣接して前記フィラメント受容チャネル内への前記フィラメントの位置決めを限定するように、前記第１および第２のスロット内に配置されている請求項５記載の陰極カップ・アセンブリ。
【請求項７】
複数のフィラメント受容チャネルを含むフィラメント・コイル受容部分およびフィラメント・リード用延長部分を有する陰極カップと、フィラメントと、焦点合わせ用タブとを組み立てる方法であって、
前記焦点合わせ用タブを前記陰極カップの前記フィラメント受容部分と係合するように摺動配置する工程、および
前記焦点合わせ用タブの外周縁が前記フィラメント・コイル受容部分の外周縁と揃うように、前記焦点合わせ用タブを配置する工程
を含んでいることを特徴とする前記方法。
【請求項８】
前記陰極カップの前記フィラメント・コイル受容部分が第１および第２のフランジを含み、前記第１および第２のフランジは第１および第２のスロットをそれぞれ含み、前記第１および第２のスロットの各々は前記フィラメント受容チャネルに平行に延在していて、前記フィラメント受容チャネルが前記第１および第２のフランジの間に位置しており、前記焦点合わせ用タブがフィラメント位置合わせ用開口を設けたプレートを有しており、前記焦点合わせ用タブを前記陰極カップの前記フィラメント受容部分と係合するように摺動配置する前記工程が、前記プレートを前記第１および第２のスロットに挿入する工程を含んでいる請求項７記載の方法。
【請求項９】
前記陰極カップが更に前記フィラメント受容チャネルの１つと連通する第１および第２のフィラメント・リード用開口を含み、前記第１および第２のフィラメント・リード用開口は、前記フィラメント受容チャネルから前記フィラメント・リード用延長部分を貫通して延在しており、前記焦点合わせ用タブを前記陰極カップの前記フィラメント受容部分と係合するように摺動配置する前記工程が、前記プレートを前記フィラメント位置合わせ用開口の周縁が前記第１および第２のフィラメント・リード用開口に隣接するように位置決めする工程を含んでいる請求項８記載の方法。
【請求項１０】
更に、前記陰極カップ内に１つのフィラメントを挿入する工程を含み、該フィラメントが、第１のフィラメント・リード、第２のフィラメント・リード、および前記第１のフィラメント・リードと前記第２のフィラメント・リードとの間に延在するフィラメント・コイルを有している請求項９記載の方法。
【請求項１１】
前記陰極カップ内にフィラメントを挿入する前記工程が、前記フィラメント・コイルを前記フィラメント受容チャネル内に位置決めし、前記第１および第２のフィラメント・リードを前記第１および第２のフィラメント・リード用開口にそれぞれ挿入する工程を含んでいる請求項１０記載の方法。
【請求項１２】
それぞれフィラメントを受け入れる寸法を持つ複数のフィラメント受容チャネルを含むフィラメント・コイル受容部分およびフィラメント・リード用延長部分を有している陰極カップ用の焦点合わせ用タブであって、
フィラメント位置合わせ用開口を設けたプレートを有し、該プレートが、前記フィラメント・コイル受容部分と協働して、少なくとも部分的に前記フィラメント受容チャネルを覆って前記フィラメント受容チャネル内への前記フィラメントの位置決めを限定するように構成されていること、を特徴とする焦点合わせ用タブ。
【請求項１３】
前記プレートが第１の端部分、第２の端部分およびこれらの端部分の間の中間部分を含み、前記フィラメント位置合わせ用開口が前記の第１の端部分、中間部分および第２の端部分にわたって延在している請求項１２記載の焦点合わせ用タブ。
【請求項１４】
前記第１の端部分が前記中間部分と同一の平面内にない請求項１３記載の焦点合わせ用タブ。
【請求項１５】
前記陰極カップの前記フィラメント・コイル受容部分が更に第１および第２のフランジを含み、前記第１および第２のフランジは第１および第２のスロットをそれぞれ含み、前記第１および第２のスロットの各々は前記フィラメント受容チャネルに平行に延在し、前記フィラメント受容チャネルが前記第１および第２のフランジの間に位置しており、前記プレートは、前記第１および第２のスロット内に配置されて、前記フィラメント位置合わせ用開口の周縁が前記フィラメント受容チャネル内への前記フィラメントの位置決めを限定するように構成されている請求項１３記載の焦点合わせ用タブ。
【請求項１６】
前記第１の端部分が前記第１のスロット内に摺動挿入されるように構成され、前記第２の端部分が前記第２のスロット内に摺動挿入されるように構成されている請求項１５記載の焦点合わせ用タブ。
【発明の詳細な説明】
【０００１】
【発明の属する技術分野】
本発明は一般に医学用イメージング・システムに使用されるＸ線管に関するものであり、更に詳しくはこのようなＸ線管用の陰極カップ・アセンブリに関するものである。
【０００２】
【発明の背景】
少なくとも１形式の医学用イメージング・システムでは、Ｘ線源が扇形ビームを投射し、扇形ビームはデカルト座標系のＸＹ平面内に位置するようにコリメートされ、該平面は一般に「イメージング平面」と呼ばれている。Ｘ線ビームは患者のようなイメージングしようとする対象物を通過し、対象物によって減衰された後、放射線検出器列に突き当たる。検出器列で受けたＸ線ビームの強度は、その対象物による減衰に応じて変わる。検出器列内の各々の検出器は、その検出器の位置におけるＸ線ビームの減衰量の測定値である別々の信号を発生する。全ての検出器からの減衰量の測定値は別々に取得されて、透過プロフィールを生じる。このような医学用イメージング・システムは典型的にはコンピュータ断層撮影（ＣＴ）システムと呼ばれている。
【０００３】
公知の第３世代のＣＴシステムでは、Ｘ線源および検出器列は回転可能なガントリイ上に配置される。ガントリイはイメージング対象物の周りを回転して、Ｘ線ビームが対象物と交差する角度が絶えず変えられる。１つのガントリイ角度で測定された検出器列からの一群のＸ線減衰量の測定値すなわち投影データが「ビュー」と呼ばれている。対象物の「走査」は、Ｘ線源および検出器列が１回転する間に異なるガントリイ角度で得られた一組のビューで構成される。軸方向走査では、投影データを処理することにより、対象物を横断して取った二次元のスライスに対応する画像が構成される。一組の投影データから画像を再構成する１つの方法は、フィルタ補正逆投影法と呼ばれているものである。この方法では、走査により得られた減衰量測定値がＣＴナンバーまたはハウンスフィールド・ユニットと呼ばれる整数に変換され、これを使用して陰極線管表示装置上の対応する画素の輝度が制御される。
【０００４】
Ｘ線源はときにはＸ線管とも呼ばれ、典型的には、陰極および陽極を収容した真空ガラス・エンベロープを含む。Ｘ線は、陰極および陽極の間に高電圧を印加して、陰極からの電子を加速して陽極上の焦点に衝突させることにより発生される。発生されたＸ線は焦点から大体円錐形状に発散する。
公知の陰極アセンブリは、典型的には、陰極カップおよび幾つかの通電フィラメントを含む。各々のフィラメントは、コイルおよび該コイルの両端からそれぞれ延在するリード線を含む。陰極カップは、各々のフィラメントに対するフィラメント受容チャネル（すなわち、フィラメントを受け入れる溝形の部分）を持つと共に、陰極カップを貫通して各々のフィラメント受容チャネルまで延在するフィラメント・リード用開口を持つ。
【０００５】
陰極アセンブリを形成するため、フィラメントは、各々のフィラメント・コイルがチャネル内に載置され且つフィラメント・リードがフィラメント・リード用開口を通るように、陰極カップに挿入される。フィラメント・チャネル内でのフィラメントの正確な位置決めが重要である。というのは、その位置が焦点合わせの様なＸ線管の動作特性に影響を及ぼすからである。不正確な焦点合わせにより、分解能が失われ、画像が悪くなる。更に、フィラメントが正しく位置決めされていない場合、フィラメントの寿命が例えば過熱により短くなる。従って、各々のフィラメントをそれぞれのチャネル内に正しく位置決めすることが望ましい。
【０００６】
各々のフィラメントを正しく位置決めし易くするために、陰極カップの各々のフィラメント受容チャネル内にフィラメント挿着体が配置される。フィラメント挿着体は典型的にはそれぞれのフィラメント・リード用開口に隣接して配置され、このためフィラメントをチャネル内に挿入したとき、フィラメント・コイルがフィラメント挿着体の間に延在し、またフィラメント・リードがフィラメント・リード用開口を通って延在する。フィラメント挿着体はフィラメントの位置決めを容易にし、且つ各々のフィラメント・コイルがそれぞれのチャネル内に中心合わせされるように保証する。
【０００７】
【発明が解決しようとする課題】
各々のフィラメント挿着体は、典型的には、それぞれのチャネルに溶接される。フィラメント挿着体はまた、上述のようにフィラメントの適切な位置決めを保証するためにチャネル内に正確に位置決めしなければならない。フィラメント挿着体のこのような正確な位置決め、およびフィラメント挿着体の溶接は、時間がかかり且つ厄介である。
【０００８】
そこで、陰極カップのフィラメント受容チャネル内への、時間がかかり且つ厄介であるフィラメント挿着体の位置決めおよび溶接プロセスを除去することが望ましい。更に、このようなフィラメント挿着体を除去しても、フィラメント受容チャネル内でのフィラメントの正確な位置決めが悪化しないことが好ましい。
【０００９】
【課題を解決するための手段】
上記の課題を解決するため、本発明では、陰極カップ、電流を通すフィラメントおよび焦点合わせ用タブを含む陰極カップ・アセンブリが提供される。各々のフィラメントは、フィラメント・コイルおよび該フィラメント・コイルの両端から延在するフィラメント・リードを含む。陰極カップは、各々のフィラメントに対するフィラメント受容チャネルおよび当該陰極カップを貫通して各々のフィラメント受容チャネルまで延在するフィラメント・リード用開口を有する。フィラメント受容チャネルは陰極カップの２つのフランジの間に設けられている。各々のフランジは、フィラメント受容チャネルにほぼ平行に延在するスロットを有する。
【００１０】
焦点合わせ用タブは陰極カップと協働して、フィラメント受容チャネル内のフィラメントの位置決めを限定するように構成されている。特に、焦点合わせ用タブはフィラメント位置合わせ用開口を設けたプレートを含む。該プレートは陰極カップのフランジのスロット内に単に摺動させることにより、フィラメント位置合わせ用開口の周縁がフィラメント・リード用開口に隣接して、フィラメント受容チャネルのフィラメント・コイル用チャネル部分を画成するように配置される。フィラメントは、各々のフィラメント・コイルがフィラメント受容チャネルのフィラメント・コイル用チャネル部分内に配置され且つフィラメント・リードがフィラメント・リード用開口を通って延在するように、陰極カップ内へ挿入される。フィラメント位置合わせ用開口の周縁は、フィラメントの位置を限定することによってフィラメント受容チャネル内へのフィラメント・コイルの位置決めを容易にする。
【００１１】
上記の焦点合わせ用タブにより、陰極カップのフィラメント受容チャネル内への前述の時間がかかり且つ厄介であるフィラメント挿着体の位置決めおよび溶接プロセスが除去される。焦点合わせ用タブはまた、所望の焦点合わせが達成されるようにフィラメント受容チャネル内へのフィラメントの正確な位置決めを可能にする。
【００１２】
【発明の実施の形態】
先ず図１および図２を参照すると、コンピュータ断層撮影（ＣＴ）システム１０が示されている。これはガントリイ１２を含み、第３世代のＣＴスキャナを表している。ガントリイ１２はＸ線源１４を有し、Ｘ線源はガントリイ１２の反対側に設けられた検出器列１８へ向けて扇形Ｘ線ビーム１６を投射する。検出器列１８は複数の検出器２０またはチャネルによって形成され、投射されて患者２２を通過したＸ線を検知する。各々の検出器２０は入射したＸ線ビームの強度、従って患者２２を通過したときのＸ線の減衰量を表す信号を発生する。Ｘ線投影データを取得するための走査の間、ガントリイ１２およびそこに取り付けられた部品が回転中心２４の周りに回転する。
【００１３】
ガントリイ１２の回転およびＸ線源１４の作動はＣＴシステム１０の制御機構２６によって管理される。制御機構２６は、Ｘ線源１４に電力およびタイミング信号を供給するＸ線制御器２８、ガントリイ１２の回転速度と位置を制御するガントリイ電動機制御器３０、および検出器２０からのアナログ・データをサンプリングして、その後の処理のためにディジタル信号に変換するデータ取得システム（ＤＡＳ）３２を含む。画像再構成器３４が、ＤＡＳ３２からサンプリングされてディジタル化されたＸ線データを受け取って、高速画像再構成処理を実行する。再構成された画像はコンピュータ３６に入力として印加され、コンピュータ３６は画像を大容量記憶装置３８に格納する。
【００１４】
コンピュータ３６は、キーボードを備えた操作卓４０を介してオペレータからの指令および走査パラメータを受ける。付設された陰極線管表示装置４２により、オペレータはコンピュータ３６からの再構成画像およびその他のデータを観察することが出来る。コンピュータ３６はオペレータからの指令および走査パラメータを使用して、ＤＡＳ３２、Ｘ線制御器２８およびガントリイ電動機制御器３０に制御信号および情報を供給する。更に、コンピュータ３６はテーブル電動機制御器４４を動作させて、患者２２をガントリイ１２内に位置決めするように電動機駆動テーブル４６を制御する。具体的にいうと、テーブルは患者の一部をガントリイの開口４８に通すように動く。
【００１５】
図３、４および５は、公知の陰極カップ・アセンブリ５０を示し、これは陰極カップ５２並びに３つのフィラメント５４Ａ、５４Ｂおよび５４Ｃを含んでいる。これらのフィラメント５４Ａ、５４Ｂおよび５４Ｃの各々は、フィラメント・コイル５６Ａ、５６Ｂおよび５６Ｃを含んでいると共に、フィラメント・コイル５６Ａ、５６Ｂおよび５６Ｃの両端６０Ａおよび６０Ｂからそれぞれの延在するフィラメント・リード５８Ａおよび５８Ｂを含んでいる。陰極カップ５２は、フィラメント・コイル受容部分６２およびフィラメント・リード用延長部分６４を含んでいる。フィラメント・コイル受容部分６２は、各々のフィラメント５４Ａ、５４Ｂおよび５４Ｃに対するフィラメント受容チャネル６６Ａ、６６Ｂおよび６６Ｃを有すると共に、陰極カップ５２を貫通してフィラメント受容チャネル６６Ａ、６６Ｂおよび６６Ｃまで延在するフィラメント・リード用開口６８を有している。
【００１６】
フィラメント溶接用挿着体７０がフィラメント受容チャネル６６Ａ、６６Ｂおよび６６Ｃ内に配置されて、該チャネルのフィラメント・コイル用チャネル部分７２Ａ、７２Ｂおよび７２Ｃを画成している。具体的に言うと、フィラメント溶接用挿着体７０はフィラメント受容チャネル６６Ａ、６６Ｂおよび６６Ｃ内に溶接されて、各々のフィラメント・コイル用チャネル部分７２Ａ、７２Ｂおよび７２Ｃがそれぞれのチャネル６６Ａ、６６Ｂおよび６６Ｃ内に中心合わせされるようにする。更に、チャネル６６Ａ、６６Ｂおよび６６Ｃ内のそれぞれの対のフィラメント溶接用挿着体７０は、フィラメント・コイル５６Ａ、５６Ｂおよび５６Ｃが所望の焦点合わせを行えるような位置に配置されるように、位置決めされる。フィラメント溶接用挿着体７０はフィラメント・リード用開口６８に隣接しており、このためフィラメント５４Ａ、５４Ｂおよび５４Ｃがチャネル６６Ａ、６６Ｂおよび６６Ｃ内に挿入されたとき、フィラメント・コイル５６Ａ、５６Ｂおよび５６Ｃがそれぞれのフィラメント溶接用挿着体７０の間に延在し、フィラメント・リード５８Ａおよび５８Ｂがフィラメント・リード用開口６８に通される。
【００１７】
公知のように、フィラメント溶接用挿着体７０は典型的にはチャネル６６Ａ、６６Ｂおよび６６Ｃ内に溶接されて、チャネル６６Ａ、６６Ｂおよび６６Ｃ内へのフィラメント・コイル５６Ａ、５６Ｂおよび５６Ｃの位置決めを限定する。しかしながら、各々のフィラメント溶接用挿着体７０の溶接は時間がかかり、また厄介で困難である。
【００１８】
本発明によれば、所望の焦点合わせが達成されるように陰極カップのフィラメント受容チャネル内にフィラメント・コイルを中心合わせ（センタリング）するために単一体の焦点合わせ用タブが使用される。焦点合わせ用タブは、何ら溶接を行うことなく陰極カップに固定され、従って時間がかり且つ経費の高い溶接プロセスを除くことが出来る。
【００１９】
図６、７および８は、本発明の一実施態様による陰極カップ・アセンブリ８０を示す。陰極カップ・アセンブリ８０は、陰極カップ８２、焦点合わせ用タブ８４、並びにフィラメント８６Ａ、８６Ｂおよび８６Ｃを含む。フィラメント８６Ａ、８６Ｂおよび８６Ｃは、フィラメント・コイル８８Ａ、８８Ｂおよび８８Ｃ、並びにフィラメント・コイルの両端９２からそれぞれ延在するフィラメント・リード９０Ａおよび９０Ｂ（図には９０Ｂは示していない）を含む。陰極カップ８２は、フィラメント・コイル受容部分９４およびフィラメント・リード用延長部分９６を含む。図示のように、フィラメント・リード用延長部分９６はフィラメント・コイル受容部分９４と一体である。フィラメント・コイル受容部分９４は、各々のフィラメント８６Ａ、８６Ｂおよび８６Ｃに対するフィラメント受容チャネル９８Ａ、９８Ｂおよび９８Ｃ、並びに陰極カップ８２を貫通してそれぞれのフィラメント受容チャネル９８Ａ、９８Ｂおよび９８Ｃまで延在するフィラメント・リード用開口１００を含む。各々のフィラメント受容チャネル９８Ａ、９８Ｂおよび９８Ｃはそれぞれのフィラメント８６Ａ、８６Ｂおよび８６Ｃを受け入れる寸法に形成されている。
【００２０】
フィラメント・コイル受容部分９４は更に第１のフランジ１０２および第２のフランジ１０４を含み、フィラメント受容チャネル９８Ａ、９８Ｂおよび９８Ｃがこれらのフランジ１０２および１０４の間に位置している。第１のフランジ１０２は第１のスロット１０６を含み、また第２のフランジ１０４は第２のスロット１０８を含む。スロット１０６および１０８は、図示のように、フィラメント受容チャネル９８Ａ、９８Ｂおよび９８Ｃにほぼ平行に延在する。
【００２１】
焦点合わせ用タブ８４は、フィラメント位置合わせ用開口１１２を設けたプレート１１０を含む。フィラメント位置合わせ用開口１１２の周縁１１４は３つの平行な開口部分１１６、１１８および１２０を画成する。各々の開口部分１１６、１１８および１２０は、それぞれ長さＬ１、Ｌ２およびＬ３を持ち、且つ焦点合わせ用タブ８４の中心線１２２に関して対称であって、鏡像関係に形成されている。図示のように、長さＬ１、Ｌ２およびＬ３は互いに異なっている。陰極カップ８２および焦点合わせ用タブ８４は、例えばステンレス鋼で作られる。
【００２２】
焦点合わせ用タブ８４は陰極カップ８２と協働して、所望の焦点合わせが達成されるようにフィラメント８６Ａ、８６Ｂおよび８６Ｃをフィラメント・コイル受容部分９４内へ適正に位置決めするのを容易にする。具体的に述べると、焦点合わせ用タブ８４は、焦点合わせ用タブ８４が少なくともフィラメント受容チャネル９８Ａ、９８Ｂおよび９８Ｃを部分的に覆って、フィラメント位置合わせ用開口１１２の周縁１１４がフィラメント受容チャネル９８Ａ、９８Ｂおよび９８Ｃ内へのフィラメント８６Ａ、８６Ｂおよび８６Ｃの位置決めを限定するように、フィラメント・コイル受容部分９４に挿入される。更に詳しく述べると、焦点合わせ用タブ８４はスロット１０６および１０８と係合するように摺動挿入されて、焦点合わせ用タブ８４の外周縁１２４がフィラメント・コイル受容部分９４の外周縁１２６とほぼ揃うようにされる。フィラメント位置合わせ用開口１１２の周縁１１４がフィラメント受容チャネル９８Ａ、９８Ｂおよび９８Ｃに隣接して、その各々の開口部分１１６、１１８および１２０がフィラメント受容チャネル９８Ａ、９８Ｂおよび９８Ｃ内にそれぞれ長さＬ１、Ｌ２およびＬ３を持つフィラメント・コイル用チャネル部分１２８Ａ、１２８Ｂおよび１２８Ｃを画成する。フィラメント８６Ａ、８６Ｂおよび８６Ｃは、各々のフィラメント・コイル８８Ａ、８８Ｂおよび８８Ｃがフィラメント受容チャネル９８Ａ、９８Ｂおよび９８Ｃのフィラメント・コイル用チャネル部分１２８Ａ、１２８Ｂおよび１２８Ｃ内に配置され且つフィラメント・リード９０Ａおよび９０Ｂがフィラメント・リード用開口１００を通って延在するように、陰極カップ８２内へ挿入される。
【００２３】
図９を参照して説明すると、焦点合わせ用タブ８４は第１の端部分１３０、中間部分１３２および第２の端部分１３４を含む。焦点合わせ用タブの第１の端部分１３０はスロット１０６内に摺動して挿入されるように構成されており、また第２の端部分１３２はスロット１０８内に摺動して挿入されるように構成されている。図示のように、フィラメント位置合わせ用開口１１２は部分１３０、１３２、１３４にわたって延在する。具体的に述べると、各々の部分１３０、１３２、１３４はそれぞれ開口画成面１３６、１３８および１４０を含む。第１の端部分１３０は中間部分１３２に隣接していて、開口画成面１３６および１３８が整列するように中間部分１３２と整列する。図示のように、第１の端部分１３０の開口画成面１３６および中間部分１３２の開口画成面１３８は、長さＬ１の開口部分１１６を画成する。中間部分１３２の開口画成面１３８はまた、長さＬ２の開口部分１１８を画成する。中間部分１３２は第２の端部分１３４に隣接していて、開口画成面１３８および１４０が整列するように第２の端部分１３４と整列する。具体的に述べると、中間部分１３２の開口画成面１３８および第２の端部分１３４の開口画成面１４０が、長さＬ３の開口部分１２０を画成する。第１の端部分１３０は中間部分１３２と同じ平面内にはない。同様に、第２の端部分１３４は中間部分１３２と同じ平面内にはない。
【００２４】
陰極カップ８２と焦点合わせ用タブ８４とフィラメント８６Ａ、８６Ｂおよび８６Ｃとを組み立てるためには、先ず、焦点合わせ用タブ８４をフィラメント・コイル受容部分９４と係合するように摺動挿入して、焦点合わせ用タブ８４の外周縁１２４がフィラメント・コイル受容部分９４の外周縁１２６とほぼ揃うように焦点合わせ用タブ８４を位置決めする。具体的に述べると、プレート１１０をスロット１０６および１０８に挿入、すなわち第１の端部分１３０をスロット１０６内に摺動挿入し且つ第２の端部分１３２をスロット１０８内に摺動挿入する。前に述べたように、プレート１１０は、フィラメント位置合わせ用開口１１２の周縁１１４がプレート１１０に隣接するように、フィラメント・コイル受容部分９４内に位置決めする。次いで、フィラメント８６Ａ、８６Ｂおよび８６Ｃをフィラメント受容チャネル９８Ａ、９８Ｂおよび９８Ｃのフィラメント・コイル用チャネル部分１２８Ａ、１２８Ｂおよび１２８Ｃ内に挿入し、各々のフィラメントのフィラメント・リード９０Ａおよび９０Ｂをフィラメント・リード用開口１００に通すように挿入する。
【００２５】
上述の焦点合わせ用タブ８４を含む陰極カップ・アセンブリの組み立ては、時間のかかる厄介な溶接プロセスを必要としない。更に、焦点合わせ用タブ８４は陰極カップ内への適切なフィラメント・コイルの位置決めを容易にする。
以上の本発明の種々の実施態様についての説明から、本発明の課題が達成されたことは明らかである。図示し説明した本発明の実施態様は例として示されたものであって、本発明をそれらに限定するものでないことを理解されたい。例えば、上述の陰極カップ８２は３つのフィラメント受容チャネル９８Ａ、９８Ｂおよび９８Ｃを有しているが、任意の数のフィラメント受容チャネルを有していてよく、また焦点合わせ用タブ８４をそれらのフィラメント受容チャネルに合わせて変更することが出来る。従って、本発明の要旨および範囲は特許請求の範囲に記載によって定められるものである。
【図面の簡単な説明】
【図１】ＣＴシステムの絵画的斜視図である。
【図２】図１のシステムの概略系統図である。
【図３】公知の陰極カップ・アセンブリの斜視図である。
【図４】図３の陰極カップ・アセンブリの正面図である。
【図５】図３の陰極カップ・アセンブリの側面図である。
【図６】本発明の一実施態様による陰極カップ・アセンブリの斜視図である。
【図７】図６の陰極カップ・アセンブリの正面図である。
【図８】図６の陰極カップ・アセンブリの側面図である。
【図９】図６の陰極カップ・アセンブリの分解斜視図である。
【符号の説明】
８０    陰極カップ・アセンブリ
８２    陰極カップ
８４    焦点合わせ用タブ
８６Ａ、８６Ｂ、８６Ｃ    フィラメント
８８Ａ、８８Ｂ、８８Ｃ    フィラメント・コイル
９０Ａ、９０Ｂ    フィラメント・リード
９４    フィラメント・コイル受容部分
９６    フィラメント・リード用延長部分
９８Ａ、９８Ｂ、９８Ｃ    フィラメント受容チャネル
１００    フィラメント・リード用開口
１０２、１０４    フランジ
１０６、１０８    スロット
１１０    プレート
１１２    フィラメント位置合わせ用開口
１１４    周縁
１１６、１１８、１２０    平行な開口部分
１２８Ａ、１２８Ｂ、１２８Ｃ    フィラメント・コイル用チャネル部分
【図１】
0003749996.tif 000002
【図２】
0003749996.tif 000003
【図３】
0003749996.tif 000004
【図４】
0003749996.tif 000005
【図５】
0003749996.tif 000006
【図６】
0003749996.tif 000007
【図７】
0003749996.tif 000008
【図８】
0003749996.tif 000009
【図９】
0003749996.tif 000010